(57)【要約】  【課題】上部に配置した冷蔵室の温度で圧縮機を制御する冷凍冷蔵庫の送風機に関して、冷気循環効率の向上と設置スペースの効率化を図る。  【解決手段】冷蔵室２と、冷凍室１０と、蒸発器８と、圧縮機３と、蒸発器８により冷却された冷気を前記各室へ送風する送風機４とを備え、冷蔵室２を冷凍室１０の上方に配置し冷蔵室２の温度を検知する冷蔵室センサー１で圧縮機３の運転制御を行うもので、送風機４を風の流れが垂直方向になるように設置したものであり、冷気循環効率を上げることができとともに、水平設置による送風機の重心バランスの向上、設置スペースの効率化を図ることができ、省エネ、防振・防音効果と、貯蔵室有効容積を向上させる。【選択図】図１
2009014315.tif 000002
【特許請求の範囲】
【請求項１】
冷蔵室と、冷凍室と、蒸発器と、圧縮機と、前記蒸発器により冷却された冷気を前記各室へ送風する送風機とを備え、前記冷蔵室を前記冷凍室の上方に配置し、前記冷蔵室の温度を検知する冷蔵室センサーで前記圧縮機の運転制御を行うもので、前記送風機を風の流れが垂直方向になるように設置したことを特徴とする冷蔵庫。
【請求項２】
前記送風機は軸流ファンとし、前記冷却器上方近傍の前記冷蔵室と冷凍室を仕切る仕切り板の奥部に設置したことを特徴とする請求項１に記載の冷蔵庫。
【請求項３】
前記送風機は、前記仕切り板の上面より突出しない構造としたことを特徴とする請求項２に記載の冷蔵庫。
【請求項４】
前記送風機は、前記仕切り板の下面より突出しない構造としたことを特徴とする請求項２に記載の冷蔵庫。
【請求項５】
前記送風機は、前記仕切り板の水平投影面積内に収納したことを特徴とする請求項２に記載の冷蔵庫。
【請求項６】
前記送風機は、前記仕切り板にリブで下部を支持させて固定したことを特徴とする請求項１から５のいずれか一項に記載の冷蔵庫。
【請求項７】
前記送風機の上方の断熱材風路構成部材は、送風機に対向して凹型形状を備えたことを特徴とする請求項１から６のいずれか一項に記載の冷蔵庫。
【請求項８】
前記送風機は、前記仕切り板から着脱可能としたことを特徴とする請求項１から７のいずれか一項に記載の冷蔵庫。
【発明の詳細な説明】
【技術分野】
【０００１】
本発明は、冷蔵室と冷凍室を備え、冷蔵室の温度で圧縮機の運転制御を行う冷蔵庫の送風機の配置に関するものである。
【背景技術】
【０００２】
近年、冷蔵庫を使用する環境・用途は多様化しており、また求められる品質も厳しいものとなってきている。その一方で安価で使い勝手のよい冷蔵庫が求められており、冷凍室用の温度センサーあるいは冷蔵室用のダンパーサーモスタットを用いず、圧縮機および送風機の運転制御のみで冷却する冷蔵庫がある（例えば、特許文献１参照）。
【０００３】
以下、図面を参照しながら、上記従来の冷蔵庫について説明する。
【０００４】
図４は、特許文献１に記載された従来の冷蔵庫の縦断面図である。
【０００５】
図４において、冷蔵庫本体１０１は、上段の冷蔵室１０２と下段の冷凍室１０３とより構成されている。冷凍室１０３の背面部には蒸発器１０４を設置し、その上方には送風機１０５と、冷凍室１０３の冷凍室吐出口１０６と冷蔵室１０２の冷蔵室吐出ダクト１０７に適正風量を分流するよう構成してある。なお、送風機１０５は、貯蔵室仕切り板１０８の後部に貫通形成した空間に斜め上前方へ冷気を送出す向きに斜め支持されている。
【０００６】
また、冷蔵室１０２の背面部には冷蔵室温度センサー１０９が設置してあり圧縮機１１０と送風機４を動作制御している。
【０００７】
以上のように構成された冷蔵庫について、以下その動作、作用を説明する。
【０００８】
冷蔵室温度センサー１０９の温度が設定温度よりも高くなれば圧縮機１１０及び送風機１０５の運転が開始され、蒸発器１０４で冷却された冷気が冷蔵室吐出ダクト１０７を通り冷蔵室１０２へ送られ、冷蔵室１０２内を循環したあと蒸発器１０４へ戻る。そして、冷蔵室温度センサー１０９が設定温度以下になれば圧縮機１１０及び送風機１０５の運転が停止される。
【０００９】
一方、冷凍室１０３は圧縮機１１０及び送風機１０５の運転中、冷気を冷凍室１０３の冷凍室吐出口から送り、冷凍室１０３内を冷却したあと、冷凍室吸込口から蒸発器１０４へと冷気が循環することで所望温度を保たれる。
【特許文献１】特開２００６−１８９２２２号公報
【発明の開示】
【発明が解決しようとする課題】
【００１０】
しかしながら、上記従来の冷蔵庫では、送風機１０５の取付けは、複数の部品・部材から構成され、送風機の取付けが冷蔵庫本体奥壁に傾斜して配置しているので、部品取付・組立構成が複雑であり、また、送風機を傾斜配置することにより上下方向の設置寸法が大きくなり、それにより貯蔵室の有効容積が阻害されるという課題を有していた。
【００１１】
本発明は上記従来の課題を解決するものであり、送風機の冷気循環効率の向上による省エネと、貯蔵室有効容積の向上による使い勝手の良い安価な冷蔵庫を提供することを目的とする。
【課題を解決するための手段】
【００１２】
上記従来の課題を解決するために、本発明の冷蔵庫は、冷蔵室と、冷凍室と、蒸発器と、圧縮機と、前記蒸発器により冷却された冷気を前記各室へ送風する送風機とを備え、前記冷蔵室を前記冷凍室の上方に配置し、前記冷蔵室の温度を検知する冷蔵室センサーで前記圧縮機の運転制御を行うもので、前記送風機を風の流れが垂直方向になるように設置したものである。
【００１３】
これにより、冷気循環効率を上げることができとともに、水平設置による送風機の重心バランスの向上、設置スペースの効率化を図ることができる。
【発明の効果】
【００１４】
本発明の冷蔵庫は、冷蔵室と、冷凍室と、蒸発器と、圧縮機と、前記蒸発器により冷却された冷気を前記各室へ送風する送風機とを備え、前記冷蔵室を前記冷凍室の上方に配置し、前記冷蔵室の温度を検知する冷蔵室センサーで前記圧縮機の運転制御を行うもので、前記送風機を風の流れが垂直方向になるように設置したことにより、冷気循環効率の向上による省エネと、水平設置による送風機の重心バランスの水平分散・向上による防振・防音効果と、貯蔵室有効容積を向上させることができる。
【発明を実施するための最良の形態】
【００１５】
請求項１に記載の発明は、冷蔵室と、冷凍室と、蒸発器と、圧縮機と、前記蒸発器により冷却された冷気を前記各室へ送風する送風機とを備え、前記冷蔵室を前記冷凍室の上方に配置し前記冷蔵室の温度を検知する冷蔵室センサーで前記圧縮機の運転制御を行うもので、前記送風機を風の流れが垂直方向になるように設置したものであり、冷気循環効率を上げることができとともに、水平設置による送風機の重心バランスの向上、設置スペースの効率化を図ることができ、省エネ、防振・防音効果と、貯蔵室有効容積を向上させることができる。
【００１６】
請求項２に記載の発明は、請求項１に記載の発明において、前記送風機は軸流ファンとし、前記冷却器上方近傍の前記冷蔵室と冷凍室を仕切る仕切り板の奥部に設置したものであり、確実に省スペース化を図ることができるとともに、送風機の取付け、組立作業の簡素化を図ることができる。
【００１７】
請求項３に記載の発明は、請求項２に記載の発明において、前記送風機は、前記仕切り板の上面より突出しない構造としたものであり、冷蔵室の有効容量積を高めることができる。
【００１８】
請求項４に記載の発明は、請求項２に記載の発明において、前記送風機は、前記仕切り板の下面より突出しない構造としたものであり、冷凍室の有効容量積を高めることができる。
【００１９】
請求項５に記載の発明は、請求項２に記載の発明において、前記送風機は、前記仕切り板の水平投影面積内に収納したものであり、冷蔵室と冷凍室の両室の有効容量積を同時に高めることができる。
【００２０】
請求項６に記載の発明は、請求項１から５のいずれか一項に記載の発明において、前記送風機は、前記仕切り板にリブで下部を支持させて固定したものであり、送風機回転時の振動を均等に接触点に分散させ、静音化を実現できる。
【００２１】
請求項７に記載の発明は、請求項１から６のいずれか一項に記載の発明において、前記送風機の上方の断熱材風路構成部材は、送風機に対向して凹型形状を備えたものであり、冷気循環の際の風圧・騒音を緩和させ、分流効果の向上も可能になり、さらなる静音化、冷却効率を高めることができる。
【００２２】
請求項８に記載の発明は、請求項１から７のいずれか一項に記載の発明において、前記送風機は、前記仕切り板から着脱可能としたものであり、送風機のメンテナンス性を向上することができる。
【００２３】
以下、本発明の実施の形態について、図面を参照しながら説明する。なお、この実施の形態によってこの発明が限定されるものではない。
【００２４】
（実施の形態１）
図１は本発明の実施の形態１における冷蔵庫の縦断面図、図２は同実施の形態における冷蔵庫の背面図、図３は同実施の形態における貯蔵室仕切り板奥内部の縦断面拡大図である。
【００２５】
図において、１３は冷蔵庫本体を示すものであり、上段の冷蔵室２と下段の冷凍室１０とより構成されている。冷凍室１０の背面部には蒸発器８を設置し、その上方には送風機４と、冷凍室１０の冷凍室吐出口１１と冷蔵室２の冷蔵室吐出ダクト５に適正風量を分流するよう構成してある。
【００２６】
そして、送風機４は、矩形状の軸流ファンで、上段の冷蔵室２と下段の冷凍室１０を仕切る仕切り板１８の奥部に送風機４の風の流れが略垂直方向になるように設置している。
【００２７】
また、矩形状の軸流ファンである送風機４は、仕切り板１８の上面あるいは、下面より端面が突出しないようにファンの軸流を上下方向に向けて配置した構造としている。さらに言えば、仕切り板１８の水平投影面積内に収納することが望ましい。
【００２８】
また、送風機４は、仕切り板１８の上面開口部から着脱可能に挿入し、仕切り板１８の外郭を形成する樹脂と一体に形成したリブ１９で少なくとも送風機４の下面角部近傍の４点を支持させて固定している。そして、仕切り板１８の送風機４の上面開口部を覆うように断熱材風路構成部材２０を配置させている。そして断熱材風路構成部材２０は、送風機４に対向して凹型形状を備えた構造としている。
【００２９】
また、冷却器８の下辺高さ１４よりも下方に冷凍室１０の冷凍室吸込口１２が配置してある。
【００３０】
また、冷蔵室２の背面部には冷蔵室温度センサー１が設置してあり圧縮機３と送風機４を動作制御している。
【００３１】
冷蔵庫本体１３の背面部の機械室１５内には、圧縮機３や送風機４の運転制御をする制御基板１６を設置しており、制御基板１６には外気温度を検知するための外気温度センサー１７を直接固定している。
【００３２】
以上のように構成された冷蔵庫について、以下その動作、作用を説明する。
【００３３】
冷蔵室温度センサー１の温度が設定温度よりも高くなれば圧縮機３及び送風機４の運転が開始され、蒸発器８で冷却された冷気が冷蔵室吐出ダクト５を通り冷蔵室２へ送られ、冷蔵室２内を循環したあと蒸発器８へ戻る。そして、冷蔵室温度センサー１が設定温度以下になれば圧縮機３及び送風機４の運転が停止される。
【００３４】
一方、冷凍室１０は圧縮機３及び送風機４の運転中、冷気を冷凍室１０の冷凍室吐出口１１から送り、冷凍室１０内を冷却したあと、冷凍室吸込口１２から蒸発器８へと冷気が循環することで所望温度を保たれる。
【００３５】
そして、冷蔵室温度センサー１の動作温度には複数のテーブルが設けられ、制御基板１６上に積載した外気温度センサー１７によって検知した外気温度に応じて最適なテーブルが選択される。これによって低外気になるにつれて冷蔵室温度センサー１による圧縮機３の動作温度を引き下げるとともに、圧縮機３及び送風機４の運転時間を制御して、冷蔵室２及び冷凍室１０への適切な冷気供給量を分配する。
【００３６】
上記制御により、本実施の形態においては、冷蔵室２と冷凍室１０を有し、圧縮機３と蒸発器８と送風機４とで冷蔵室２と冷凍室１０を冷却する冷蔵庫において、冷蔵室内の冷蔵室温度センサー１で圧縮機３の運転制御をするとともに、冷蔵庫の周囲温度を検知する外気温度センサー１７により圧縮機３の運転制御の動作温度を補正するものであり、特別な制御部品や、ダンパサーモを用いず、冷蔵室２、冷凍室１０ともに所定の適正な温度に制御することができる。
【００３７】
そして、送風機４は、矩形状の軸流ファンで、上段の冷蔵室２と下段の冷凍室１０を仕切る仕切り板１８の奥部に送風機４の風の流れが略垂直方向になるように設置しているので、冷気循環効率の向上、水平設置による送風機の重心バランスの向上により、省エネ、防振・防音効果を得ることができる。また、送風機４の設置スペースの効率化を図ることができ、貯蔵室有効容積を向上させることができる。
【００３８】
また、矩形状の軸流ファンである送風機４は、仕切り板１８の上面あるいは、下面より端面が突出しないようにファンの軸流を上下方向に向けて配置した構造としているので、上方の冷蔵室の有効容量積、あるいは、下方の冷凍室の有効容量積を高めることができる。
【００３９】
また、送風機４は、仕切り板１８の水平投影面積内に収納することで、上方の冷蔵室および下方の冷凍室の有効容量積を同時に高めることができる。
【００４０】
また、送風機４は、仕切り板１８の外郭を形成する樹脂と一体に形成したリブ１９で少なくとも送風機４の下面角部近傍の４点を支持させて固定しているので、送風機回転時の振動を均等に接触点に分散させ、静音化を実現できる。
【００４１】
また、送風機４は、仕切り板１８の送風機４の上面開口部を覆うように断熱材風路構成部材２０を配置させ、断熱材風路構成部材２０は、送風機４に対向して凹型形状を備えた構造としているので、冷気循環の際の風圧・騒音を緩和させ、分流効果の向上も可能になり、さらなる静音化、冷却効率を高めることができる。
【００４２】
また、送風機４は、仕切り板１８の上面開口部から着脱可能に挿入しているので、送風機のメンテナンス性を向上することができる。
【産業上の利用可能性】
【００４３】
以上のように、本発明にかかる冷蔵庫は、冷蔵室と、冷凍室と、蒸発器と、圧縮機と、前記蒸発器により冷却された冷気を前記各室へ送風する送風機とを備え、前記冷蔵室を前記冷凍室の上方に配置し、前記冷蔵室の温度を検知する冷蔵室センサーで前記圧縮機の運転制御を行うもので、前記送風機を風の流れが垂直方向になるように設置したことにより、冷気循環効率の向上による省エネと、水平設置による送風機の重心バランスの水平分散・向上による防振・防音効果と、貯蔵室有効容積を向上させることができるので、上記構成の冷却貯蔵庫等の冷凍冷蔵機器全般の用途にも適用できる。
【図面の簡単な説明】
【００４４】
【図１】本発明の実施の形態１における冷蔵庫の縦断面図
【図２】同実施の形態における冷蔵庫の背面図
【図３】同実施の形態における貯蔵室仕切り板奥内部の縦断面拡大図
【図４】従来の冷蔵庫の縦断面図
【符号の説明】
【００４５】
１    冷蔵室温度センサー
２    冷蔵室
３    圧縮機
４    送風機
８    蒸発器
１０  冷凍室
１３  冷蔵庫本体
１８  仕切り板
１９  リブ
２０  断熱材風路構成部材
【図１】
2009014315.tif 000003
【図２】
2009014315.tif 000004
【図３】
2009014315.tif 000005
【図４】
2009014315.tif 000006